(57)【要約】【課題】時計表示機能付き調理器の制御基板において、温度センサ及び温度補償型水晶発振器を使用せずに、水晶発振子の周波数／温度特性による時間ズレを補正する事。【解決手段】時計表示機能付き調理器の制御基板において、時計および調理時刻を表示する表示ユニット６と、その表示ユニット６を照らすためのバックライトであるＬＥＤ素子７と、そのＬＥＤ素子７の近傍には、発振出力を分周して時刻を計算して時間を表示するための水晶発振子８が備えられおり、ＬＥＤ素子の順電圧Ｖｆから水晶発振子の周囲温度を測定することで、時計表示時間ズレ補正することができるため、温度センサ及び温度補償型水晶発振器を使用する必要がない。【選択図】図１
2013130346.tif 000002
【特許請求の範囲】
【請求項１】
時計用および調理時刻設定用などに用いられる水晶発振子と前記時計および調理時刻を表示する表示ユニットと、前記表示ユニットを照らす手段であるバックライトを備え、前記バックライトは、発光ダイオードを用いたＬＥＤ素子であり、前記ＬＥＤ素子の順電圧Ｖｆから周囲温度を測定し、前記温度から時間のズレを補正する手段を持つ時計表示機能付き調理器の制御基板。
【請求項２】
水晶発振子の周囲温度を正確に測定するため、前記ＬＥＤ素子を前記水晶発振子の近傍に配置した請求項１に記載の時計表示機能付き調理器の制御基板。
【請求項３】
前記時計表示機能付き調理器の制御基板を、既知の温度に設定された第一の温度環境下におき、第一の電流値でＬＥＤを点灯させ、前記第一の温度でのＬＥＤの順電圧Ｖｆ１の値を制御基板のＩＣに読み込ませることを特徴とし、その順電圧Ｖｆ１と第二の温度環境下で第一の電流値でＬＥＤを点灯させた際の順電圧Ｖｆ２の差から、第一の温度との温度差を計算し、第二の温度環境下の温度を測定することを特徴とした請求項１に記載の時計表示機能付き調理器の制御基板。
【請求項４】
前記順電圧Ｖｆ１の値と前記順電圧Ｖｆ２の差をオペアンプで増幅して、周囲温度を計算することを特徴とした請求項１に記載の時計表示機能付き調理器の制御基板。
【請求項５】
水晶発振子の温度曲線係数と変曲点温度から時間のズレを計算式より求め、前記時間のズレが、任意の時間に達した時に、前記任意の時間分だけ時間表示の補正をすることを特徴とする請求項１に記載の時計表示機能付き調理器の制御基板。
【発明の詳細な説明】
【技術分野】
【０００１】
本発明は、時計表示機能付き調理器の制御基板において、時計の時間ズレ補正に関するものである。
【背景技術】
【０００２】
従来の時計表示機能付き調理器は、水晶発振子によって、発振出力を分周して時刻を計算して時間を表示している。しかし、水晶発振子には周波数／温度特性があるため、時計の精度は良いとは言えない。例えば、特許文献１においては、温度センサを用いることで、水晶発振子の周波数変動を検知し、（数１）により計算を行い、時間のズレを抑制している。
【０００３】
【数１】
2013130346.tif 000003
【先行技術文献】
【特許文献】
【０００４】
【特許文献１】特開平３−１１２５１４号公報
【発明の概要】
【発明が解決しようとする課題】
【０００５】
しかしながら、時計表示機能付き調理器では、温度が高くなる頻度が高く、水晶発振子の発振周波数がずれ、時計の時間がズレやすい環境であるため、時計の精度が求められている。
【０００６】
そこで，前記に記載したような従来の時計表示機能付き調理器の制御基板は、水晶発振子の温度特性による時間ズレを抑えるために温度センサを必要としているため、部品コストが生じ、制御基板が大きくなるという問題がある。
【０００７】
また周波数／温度特性精度の高い温度補償型水晶発振器を使用する手段も考えられるが、こちらも部品コストが高くなってしまう。
【０００８】
本発明の時計表示機能付き調理器の制御基板は、ＬＥＤ素子（発光ダイオード）を温度検知素子として利用する事で、温度センサ及び温度補償型水晶発振器を使用せずに、水晶発振子の周波数／温度特性による時間ズレを補正する事を可能とする。
【課題を解決するための手段】
【０００９】
前記従来の課題を解決するために、本発明の時計表示機能付き調理器の制御基板は、時計及び調理時刻を表示する表示ユニットのバックライトとして使用されるＬＥＤ素子の順電圧Ｖｆから周囲温度を測定することを特徴としたものである。
【００１０】
これにより、温度センサの代用としてＬＥＤ素子を利用することができ、水晶発振子の周囲温度を検知するための温度センサ、または温度特性の高い温度補償型水晶発振器を使用する必要が無くなる為、部品コストが削減できる。
【発明の効果】
【００１１】
本発明の時計表示機能付き調理器の制御基板は、時計及び調理時刻を表示する表示ユニットのバックライトとして使用されるＬＥＤ素子の順電圧Ｖｆから周囲温度を測定することで、温度センサを不要にし、コストを削減することができる。
【図面の簡単な説明】
【００１２】
【図１】本発明の実施の形態における時計表示機能付き調理器の制御基板の構造を示す図
【図２】本発明の実施の形態１におけるＬＥＤ（発光ダイオード）の周囲温度−順電圧特性グラフの例を示す図
【図３】本発明の実施の形態における水晶発振子の温度−周波数特性グラフの例を示す図
【図４】本発明の実施の形態における時計表示機能付き調理器の温度検知手段を示すフローチャート
【発明を実施するための形態】
【００１３】
第１の発明は、時計用および調理時刻設定用などに用いられる水晶発振子と前記時計および調理時刻を表示する表示ユニットと、前記表示ユニットを照らす手段であるバックライトを備え、前記バックライトは、発光ダイオードを用いたＬＥＤであり、前記ＬＥＤ素子の順電圧Ｖｆから周囲温度を測定し、前記温度から時間のズレを補正する手段を持つ時計表示機能付き調理器の制御基板であり、温度センサ及び、温度補償型水晶発振器を使用せずに、時間のズレを補正できるため、部品コストを削減できる。
【００１４】
第２の発明は、特に、第１の発明のＬＥＤ素子を前記水晶発振子の近傍に配置したすることで、水晶発振子の周囲温度をより正確に測定でき、時間のズレの補正の精度を向上させることができる。
【００１５】
第３の発明は、特に、第１または第２の発明の順電圧Ｖｆを前記時計表示機能付き調理器または前記時計表示機能付き調理器の制御基板を、既知の温度に設定された第一の温度環境下におき、第一の電流値でＬＥＤを点灯させ、前記第一の温度でのＬＥＤの順電圧Ｖｆ１の値を制御部に読み込ませることを特徴とし、その順電圧Ｖｆ１と第二の温度環境下で第一の電流値でＬＥＤ素子を点灯させた際の順電圧Ｖｆ２の差から、第一の温度との温度差を計算し、第二の温度環境下の加熱室温度を測定することにより、ＬＥＤ素子の順電圧Ｖｆの部品バラつきを抑制することができ、正確な加熱室温度を測定することができる。
【００１６】
第４の発明は、特に、第３の発明の前記順電圧Ｖｆ１の値と前記順電圧Ｖｆ２の差をオペアンプで増幅して、温度を計算することにより、より水晶発振子周辺温度を測定することができる。
【００１７】
第５の発明は、特に、第１〜３のいずれか１つの発明において、水晶発振子の温度曲線係数と変曲点温度から時間のズレを計算式より求め、前記時間のズレが、任意の時間に達した時に、前記任意の時間分だけ時間表示の補正をすることにより、常に正確な時間を使用者に提供することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における時計表示機能付き調理器及び制御基板の図を示すものである。
【００２０】
図１において、時計表示機能付き調理器は、調理物を収納し、加熱調理する加熱室５を設けられている。時計表示機能付き調理器内には、調理物を調理するための高周波発生装置１と電熱加熱調理をするためのヒータ等の電熱線４（電熱加熱手段）が設けられている。
【００２１】
制御基板２では、ＡＣ電源をＤＣ電源に変換するＡＣ−ＤＣ電源回路が使用されており、制御ＩＣの駆動電圧やＬＥＤ照明を駆動する電圧を作り出している。制御基板２には、入力手段９が備えられており、入力手段９には、タッチキー、ダイヤル、レバー等が用いられる。入力手段９により、時計の初期設定、調理時間の設定、調理メニューの選択等を行うことができる。
【００２２】
また制御基板２は、時計および調理時刻を表示する表示ユニット６を備え、その表示ユニット６が、バックライトの役割を持つＬＥＤ素子７によって、照らされている。そして、その表示ユニット近傍には、発振出力を分周して時刻を計算して時間を表示するための水晶発振子８が備えられている。
【００２３】
また、時計表示機能付き調理器の機械室内には、ファンで構成された冷却手段３が設けられた、高周波発生装置１や制御基板２を冷却するよう配置されている。
【００２４】
以上のように構成される時計表示機能付き調理器について、以下その動作、作用を説明する。
【００２５】
まず、コンセントを入れる等の操作を行い、時計表示機能付き調理器及び制御基板２に通電を行う。図４において、時計表示機能付き調理器で時間ズレ補正をする場合の説明を行う。制御基板に通電が行われたら、表示ユニットのバックライトであるＬＥＤ素子７を点灯させる（手順Ｆ１）。図２においてＬＥＤ素子（発光ダイオード）の周囲温度−順電圧特性グラフの例を示す。横軸が、周囲温度で、縦軸が順電圧を示しており、周囲温度が上昇すると、順電圧Ｖｆが減少し、周囲温度が低下すると順電圧Ｖｆが増加する。これにより、順電圧Ｖｆを制御基板で読み込み、ＬＥＤ素子７の周囲温度つまり水晶発振子８の周囲温度を測定することが可能となる。
【００２６】
ＬＥＤ点灯（手順Ｆ１）後、ＬＥＤ素子７に任意の電流が流れ、ＬＥＤ素子７には、順電圧Ｖｆが印加される。順電圧Ｖｆを読み込み（手順Ｆ２）、周囲温度を測定する。
【００２７】
図３において、水晶発振子の温度−周波数特性グラフの例を示す。変曲点温度と呼ばれる周波数変化がほぼゼロの温度から、温度が低下もしくは上昇すると、周波数は変化する。つまり、温度が高くなる頻度が高い調理器では、周波数変化は非常に大きく、調理時間に比例して、時間ズレが大きくなっていくことが言える。
【００２８】
図４においては、時間ズレの計算方法を示している。水晶発振子が持つ温度曲線係数に、水晶発振子の周囲温度と変曲点温度との温度差の積分の積を取ることで、時間ズレを求めることが可能となる。
【００２９】
測定した周囲温度と変曲点温度の差を積分して、累積時間ズレを計算する（手順Ｆ３）。累積時間ズレが、規定値ａを超えたかどうかの判断を行い（手順Ｆ４）、もし規定値を超えた場合は、時計表示時間を規定値ａ分だけ補正する（手順Ｆ５）。補正後は、累積時間をリセットし、同様の処理を繰り返し行う。
【００３０】
この処理を永遠に行うことで、時計時間を正確に表示し続けるが可能となる。
【００３１】
以上のように、本実施の形態においては、ＬＥＤ素子７の順電圧Ｖｆを制御基板２で読み取り、ＬＥＤ素子７の周囲温度−順電圧特性を利用して水晶発振子８の周囲温度を測定し、時計表示の時間ズレを補正することが可能となる。
【００３２】
そのため、温度センサ及び周波数／温度特性精度の高い温度補償型水晶発振器等を使用する必要が無く、コストをかけずに、正確な時計表示を実現することができる。
【産業上の利用可能性】
【００３３】
以上のように、本発明にかかる時計表示機能付き調理器の制御基板は、ＬＥＤ素子の順電圧Ｖｆを利用して、水晶発振子の周囲温度を測定して周波数変化を読み取ることを特徴としており、水晶発振子とＬＥＤを使用している他の電気機器の分野にも適用できる。
【符号の説明】
【００３４】
１  高周波発生装置
２  制御基板
３  冷却手段
４  電熱線
５  加熱室
６  表示ユニット
７  ＬＥＤ素子
８  水晶発振子
９  入力手段
【図１】
2013130346.tif 000004
【図２】
2013130346.tif 000005
【図３】
2013130346.tif 000006
【図４】
2013130346.tif 000007